(57)【要約】【課題】背上げ時に腹部の圧迫を良好に軽減させることができるとともに、腰部の圧迫も軽減させることができるベッドを提供する。【解決手段】背上げ機構２０は、取付板２２を介してメインフレーム２に回転自在に取り付けられた背上げシャフト２３と、この背上げシャフト２３に固着されて背上げシャフト２３とともに回転して背部ボトム１１を押し上げる押し上げアーム２５とを有し、逆反り機構３０は、一端が背上げシャフト２３に回転自在に連結された第１のリンク３１と、一端が下背部ボトム１１Ｂに回転自在に連結され、他端が第１のリンク３１に回転自在に連結された第２のリンク３２と、一端がヒンジ取付板３７を介して上背部ボトム１１Ａに回転自在に連結され、他端が第２のリンク３２に連結された第３のリンク３３とを有する。【選択図】  図４
2004181109.tif 000002
【特許請求の範囲】
【請求項１】
人の背中の頭部寄り箇所を保持する上背部ボトムと、人の背中の腰部寄り箇所を保持する下背部ボトムとが連結されている背部ボトムと、
前記背部ボトムを、略水平な水平姿勢と、下背部ボトムに対して上背部ボトム側が上方となるように傾斜する背上げ姿勢との間で移動させる第１の機構と、
前記背部ボトムを水平姿勢から背上げ姿勢に移動させる際に、背上げ動作に連動させて、上背部ボトムの水平線に対する傾斜角度が下背部ボトムよりも小さくなるように前記背部ボトムを屈曲させる第２の機構とを備えた
ベッド。
【請求項２】
略水平に設けられたメインフレームを有し、
第１の機構は、メインフレームまたは部材を介してメインフレームに回転自在に取り付けられた背上げシャフトと、この背上げシャフトに固定されて背上げシャフトとともに回転して背部ボトムを押し上げる押し上げアームとを有し、
第２の機構は、一端が背上げシャフト、押し上げアームまたはメインフレームに回転自在に連結された第１のリンクと、一端が下背部ボトムまたは部材を介して下背部ボトムに回転自在に連結され、他端が第１のリンクに回転自在に連結された第２のリンクと、一端が上背部ボトムまたは部材を介して上背部ボトムに回転自在に連結され、他端が第２のリンクに連結された第３のリンクとを有する
請求項１に記載のベッド。
【請求項３】
略水平に設けられたメインフレームを有し、
第１の機構は、メインフレームまたは部材を介してメインフレームに回転自在に取り付けられた背上げシャフトと、この背上げシャフトに固定されて背上げシャフトとともに回転して背部ボトムを押し上げる押し上げアームと、下背部ボトムの下面に設けられ、押し上げアームを案内するガイドレールとを有し、
第２の機構は、連結ロッドを介して押し上げアームに連結された傾倒用ローラと、上背部ボトムの下面に設けられ、前記傾倒用ローラがスライド自在に当接する傾斜レールとを有する
請求項１に記載のベッド。
【発明の詳細な説明】
【０００１】
【発明の属する技術分野】
本発明は、ベッドに関するものである。
【０００２】
【従来の技術】
背上げ機能を有した従来のベッドの構造としては、図１５（ａ）、（ｂ）に示すように、ベッドのボトムを、人の背中を載せる背部ボトム１０１と、人の腰部および脚部を載せる下半身ボトム１０２とに分割し、これらの境界部に設けられた１つの支持回転軸１０３を中心として、背部ボトム１０１を図１５（ａ）に示すような水平姿勢から、図１５（ｂ）に示すように、頭寄りの箇所が上となるように傾斜する背上げ姿勢になるように揺動可能に構成したものがある。
【０００３】
しかしながら、この従来のベッド構造では、背上げした際に、人の腹部ａに対応する箇所が縮小されるように変位するため、腹部ａが圧迫されてしまう不都合がある。
【０００４】
これに対処する従来の手法としては、図１６（ａ）、（ｂ）に示すように、背上げ姿勢時の下端部側を下半身ボトム１０２より少し離反させるように頭部側略水平方向（Ｈ方向）にスライドさせる構造が開示されている。この種の構造によれば、背上げ時に人の背中ｂと大腿部ｃとの間の距離が広がり、腰部ｄ近傍箇所のスペースに余裕ができるので、腹部ａの圧迫を軽減させることが可能となる（例えば、特許文献１、特許文献２参照）。
【０００５】
【特許文献１】
特開平２−６０６０９号公報
【０００６】
【特許文献２】
特開平７−１６２６３号公報
【０００７】
【発明が解決しようとする課題】
しかしながら、図１５（ａ）、（ｂ）に示すような構造、ならびに図１６（ａ）、（ｂ）に示すような構造のいずれの場合においても、背上げ時に肩甲骨や鎖骨近傍などの人の背中ｂの上部背面部分ｂ１が背部ボトム１０１に集中して押し付けられて密着しており、この背部ボトム１０１との接触箇所である上部背面部分ｂ１と、人の上半身と下半身との屈曲点である大腿部ｃと腰部ｄとの接合部ｇとの距離が、図１７や図１８に示すように、水平姿勢の状態での距離Ｌ１よりも、背上げ姿勢の状態での距離Ｌ２が小さくなって、背部ボトム１０１と密着した人の背中ｂの上部背面部分ｂ１を下方へずり下げようとする下向きの力が大きく働くため、これにより、腹部ａや腰部ｄが圧迫されるという課題があった。
【０００８】
そこで、本発明は前記課題を解決するもので、背上げ時に腹部の圧迫を良好に軽減させることができるとともに、腰部の圧迫も軽減させることができるベッドを提供することを目的とするものである。
【０００９】
【課題を解決するための手段】
前記課題を解決するために本発明の請求項１に記載のベッドは、人の背中の頭部寄り箇所を保持する上背部ボトムと、人の背中の腰部寄り箇所を保持する下背部ボトムとが連結されている背部ボトムと、前記背部ボトムを、略水平な水平姿勢と、下背部ボトムに対して上背部ボトム側が上方となるように傾斜する背上げ姿勢との間で移動させる第１の機構と、前記背部ボトムを水平姿勢から背上げ姿勢に移動させる際に、背上げ動作に連動させて、上背部ボトムの水平線に対する傾斜角度が下背部ボトムよりも小さくなるように前記背部ボトムを屈曲させる第２の機構とを備えたものである。
【００１０】
この構成によれば、背上げ時に、第２の機構によって、上背部ボトムの水平線に対する傾斜角度が下背部ボトムよりも小さくなるように背部ボトムが屈曲されて、上背部ボトムが逆反り状態になることで、肩甲骨や鎖骨近傍などの背中の上部背面部分が、上背部ボトムから離れたり、この箇所の当接圧力が軽減されたりする。これにより、比較的、上部背面部分を含めた背中が上下方向に対して自由に移動できるようになる。そのため、腹部や腰部の圧迫を最小限に抑えることができる。また、第２の機構によって、上背部ボトムの水平線に対する傾斜角度が下背部ボトムよりも小さくなるように背部ボトムが屈曲されて、上背部ボトムが逆反り状態になることで、人の背中の上部背面部分が後方に反ったような姿勢となり、腹部が前方に伸ばされることになる。
【００１１】
したがって、人の腹部の圧迫を良好に軽減させることができるとともに、腰部の圧迫も軽減させることができる。
また、請求項２に記載の発明は、請求項１に記載のベッドにおいて、略水平に設けられたメインフレームを有し、第１の機構は、メインフレームまたは部材を介してメインフレームに回転自在に取り付けられた背上げシャフトと、この背上げシャフトに固定されて背上げシャフトとともに回転して背部ボトムを押し上げる押し上げアームとを有し、第２の機構は、一端が背上げシャフト、押し上げアームまたはメインフレームに回転自在に連結された第１のリンクと、一端が下背部ボトムまたは部材を介して下背部ボトムに回転自在に連結され、他端が第１のリンクに回転自在に連結された第２のリンクと、一端が上背部ボトムまたは部材を介して上背部ボトムに回転自在に連結され、他端が第２のリンクに連結された第３のリンクとを有するものである。
【００１２】
この構成によれば、背部ボトムを、水平姿勢から背上げ姿勢に移動させる際に、背上げ動作と連動して、３つのリンクが動作することにより、上背部ボトムの水平線に対する傾斜角度が下背部ボトムよりも小さくなるように背部ボトムが屈曲される。
【００１３】
また、請求項３に記載の発明は、請求項１に記載のベッドにおいて、略水平に設けられたメインフレームを有し、第１の機構は、メインフレームまたは部材を介してメインフレームに回転自在に取り付けられた背上げシャフトと、この背上げシャフトに固定されて背上げシャフトとともに回転して背部ボトムを押し上げる押し上げアームと、下背部ボトムの下面に設けられ、押し上げアームを案内するガイドレールとを有し、第２の機構は、連結ロッドを介して押し上げアームに連結された傾倒用ローラと、上背部ボトムの下面に設けられ、前記傾倒用ローラがスライド自在に当接する傾斜レールとを有するものである。
【００１４】
この構成によれば、背部ボトムを、水平姿勢から背上げ姿勢に移動させる際に、背上げ動作と連動して、押し上げアームに連結された傾倒用ローラが傾斜レールをスライドすることにより、上背部ボトムの水平線に対する傾斜角度が下背部ボトムよりも小さくなるように背部ボトムが屈曲される。
【００１５】
【発明の実施の形態】
以下、本発明の実施の形態について、図面を用いて説明する。
ここで、図１は本発明の第１の実施の形態にかかるベッドの全体斜視図、図２（ａ）は同ベッドを上方から見た全体平面図、（ｂ）は同ベッドの左側面図、図３（ａ）、（ｂ）はそれぞれ同ベッドを用いた状態を概略的に示す側面図で、（ａ）は背部ボトムが水平姿勢である状態を示し、（ｂ）は背上げ姿勢である状態を示し、実際にはベッドと人との間にマットレスが敷かれているが、これらの図においては、ベッドと人との関係を分かりやすく示すために、マットレスを省いて示している。また、図４（ａ）、（ｂ）はそれぞれ同ベッドの背部ボトムを示す側面図で、（ａ）は背部ボトムが水平姿勢である状態を示し、（ｂ）は背部ボトムが背上げ姿勢である状態を示す。また、図５は同ベッドの背部ボトムを上方から見た平面図（背部ボトムが水平姿勢である状態を示す）である。また、図６は同ベッドの駆動ユニットを示す斜視図である。また、図７（ａ）、（ｂ）はそれぞれ同ベッドの脚部ボトム、サブ脚部ボトムを示す側面図で、（ａ）は脚部ボトム、サブ脚部ボトムが水平姿勢である状態を示し、（ｂ）は脚部ボトム、サブ脚部ボトムが脚上げ姿勢である状態を示す。
【００１６】
図１に示すように、ベッド１は、略水平に設けられ平面視して長方形をした外枠であるメインフレーム２と、このメインフレーム２などのベッド１全体を支持する支持台３と、人を実際に保持するボトム４と、メインフレーム２における、人がボトム４に横たわった場合の頭部側端部から立設されているヘッドボード５と、メインフレーム２における、人がボトム４に横たわった場合の脚部側端部から立設されているフットボード６と、メインフレーム２における一側部から立設されているサイドレール７と、背上げ動作および脚上げ動作を行わせるための複数の押しボタンなどを有する操作部８などを備えている。
【００１７】
なお、以下の実施の形態にかかる説明においては、フットボード６の下端部からヘッドボード５の下端部に向けての、メインフレーム２に略沿った略水平方向を頭部略水平方向（Ｈ方向）と称し、反対にヘッドボード５の下端部からフットボード６の下端部に向けての、メインフレーム２に略沿った略水平方向を脚部略水平方向（Ｆ方向）と称する。なお、必ずしも、フットボード６の下端部やヘッドボード５の下端部の位置に方向が限定されるものではない。
【００１８】
図１〜図３などに示すように、ボトム４は、人の背中ｂを保持するための背部ボトム１１と、人の腰部ｄ（人の腰、臀部を含む）を保持するための腰部ボトム１２と、人の大腿部ｃを保持するための脚部ボトム１３と、人のふくらはぎ部などを保持するためのサブ脚部ボトム１４とに分割されており、背部ボトム１１は、さらに、背中ｂの頭部寄り箇所を保持する上背部ボトム１１Ａと、背中ｂの腰部寄り箇所を保持する下背部ボトム１１Ｂとに分割されている。
【００１９】
各ボトム１１Ａ、１１Ｂ、１３、１４には、それぞれ内枠部１１ａ、１１ｂ、１３ａ、１４ａと、実際に人を保持するネット部１１ｃ、１１ｄ、１１ｅ、１３ｂ、１４ｂなどが設けられており、腰部ボトム１２は、内枠部を有しておらず、ネット部１２ａがメインフレーム２に固定されている。なお、ここで、腰部ｄとは人の腰、臀部等のことである。
【００２０】
前記上背部ボトム１１Ａと下背部ボトム１１Ｂとは、上背部ボトム１１Ａと下背部ボトム１１Ｂとの隣接した端部の両側部において、一対の連結軸１５により回転自在に連結されている。また、背部ボトム１１は、背上げ姿勢において背部ボトム１１の下端部となる部分、すなわち下背部ボトム１１Ｂの下端部となる部分（以下、単に下端部と称する）１１ｆが、メインフレーム２における下背部ボトム１１Ｂの腰部ボトム１２寄り端部の両側部において、一対の背上げ回転支持軸２１により、回転自在に支持されている。
【００２１】
また、ベッド１には、背部ボトム１１を、図３（ａ）に示すような略水平な水平姿勢と、図３（ｂ）に示すように下背部ボトム１１Ｂに対して上背部ボトム１１Ａ側が上方となるように傾斜する背上げ姿勢との間で移動させる背上げ機構（第１の機構）２０と、背部ボトム１１が水平姿勢から背上げ姿勢に移動される際に、背上げ動作と連動して、上背部ボトム１１Ａの水平線（メインフレーム２と平行な線）に対する傾斜角度が下背部ボトム１１Ｂよりも小さくなるように背部ボトム１１を屈曲させる逆反り機構（第２の機構）３０と、背部ボトム１１を水平姿勢と背上げ姿勢とにわたって駆動させる駆動源としての背上げ駆動ユニット５０と、脚部ボトム１３を、図３（ａ）に示すような略水平姿勢と、図３（ｂ）に示すように、腰部ボトム１２側の一端部を下方に、腰部ボトム１３における人のすね部寄りの箇所を保持する部分（ここでは、他端部）が上方となるように傾斜する脚上げ姿勢とにわたって往復移動させる脚上げ機構６０と、脚部ボトム１３を水平姿勢と脚上げ姿勢とにわたって駆動させる駆動源としての脚上げ駆動ユニット７０とが設けられている。なお、このベッド１は、運搬などを行い易くすべく、メインフレーム２が、人の頭部寄り側部分（背部ボトム１１や腰部ボトム１２が設けられている部分）と、脚部寄り側部分（脚部ボトム１３、サブ脚部ボトム１４が設けられている部分）とに２分割され、組立て時に一体的に結合可能な構造とされている。
【００２２】
図２、図４などに示すように、背上げ機構２０は、一対のヒンジ取付板２２と、背上げシャフト２３と、駆動力伝達アーム２４と、一対の押し上げアーム２５とを有する。
【００２３】
ヒンジ取付板２２は、メインフレーム２における下背部ボトム１１Ｂの腰部ボトム１２寄り箇所の両側部に固着されており、背上げシャフト２３は、対となったヒンジ取付板２２間に掛け渡され、対となったヒンジ取付板２２に回転自在に取り付けられている。
【００２４】
また、駆動力伝達アーム２４は、背上げシャフト２３に固着され、背上げ駆動ユニット５０により駆動されることにより、背上げシャフト２３を軸として背上げシャフト２３とともに回転する。
【００２５】
押し上げアーム２５は、背上げシャフト２３の片側にその一端が固着され、背上げシャフト２３の回転に伴なって、他端に取り付けられた押し上げローラ２６が下背部ボトム１１Ｂの内枠部１１ｂに下方から当接して背部ボトム１１（１１Ａ、１１Ｂ）を押し上げ可能とされている。
【００２６】
また、図４、図５に示すように、逆反り機構３０は、一対の第１のリンク３１と、一対の第２のリンク３２と、一対の第３のリンク３３とを有する。
各第１のリンク３１は、下背部ボトム１１Ｂの中央下方に配置され、一端が、背上げシャフト２３に回転自在に支持されている。また、各第２のリンク３２は、一端が、第２支持軸３５により支持され、この第２支持軸３５は下背部ボトム１１Ｂの内枠部１１ｂ間に掛け渡された横枠部１１ｇと１１ｈと間に配置された縦枠部１１ｉに回転自在に支持されている。そして、各第１のリンク３１と各第２のリンク３２とは、これらの他端が第１支持軸３４により回転自在に連結されている。
【００２７】
さらに、各第３のリンク３３は、一端が、第４支持軸３８により支持され、この第４支持軸３８は上背部ボトム１１Ａの内枠部１１ａ間に掛け渡された横枠部１１ｊと内枠部１１ａの頭部略水平方向（Ｈ方向）の端部との間に配設された縦枠部１１ｋに固着されたヒンジ取付板３７に回転自在に支持されている。また、第３のリンク３３の他端が、第３支持軸３６により支持され、この第３支持軸３６は第２のリンク３２の第２支持軸３５による支持部分より少し腰部ボトム１２寄りの箇所において、第２のリンク３２に回転自在に連結されている。
【００２８】
この逆反り機構３０により、上背部ボトム１１Ａの水平線に対する傾斜角度が下背部ボトム１１Ｂよりも小さくなるように背部ボトム１１が連結軸１５の箇所で屈曲される。すなわち、下背部ボトム１１Ｂに対して上背部ボトム１１Ａが連結軸１５を頂点として逆反り状態になるように屈曲される。
【００２９】
したがって、背上げ駆動ユニット５０により、駆動力伝達アーム２４を駆動させて、押し上げアーム２５を、図４（ａ）に示す状態からＰ１方向に回転させると、押し上げアーム２５により下背部ボトム１１Ｂの内枠部１１ｂが上背部ボトム１１Ａとともに押し上げられ、図４（ｂ）に示す背上げ姿勢に移動する。
【００３０】
そのとき、逆反り機構３０における第１支持軸３４を介して連結されている第１のリンク３１および第２のリンク３２は、押し上げアーム２５により回転する下背部ボトム１１Ｂ、および第２支持軸３５の移動に伴ない、第１支持軸３４が下背部ボトム１１Ｂ側に近づくように移動する。それに伴って、第３のリンク３３およびヒンジ取付板３７が、第３支持軸３６を介してＱ１方向に移動して、下背部ボトム１１Ｂ側に引寄せられる。その結果、上背部ボトム１１Ａが、連結軸１５を中心としてＰ３方向に回転して、図４（ｂ）に示すように、下背部ボトム１１Ｂよりも水平線に対する傾斜角度が小さくなるように屈曲される。すなわち、上背部ボトム１１Ａが、下背部ボトム１１Ｂの傾斜方向のヘッドボード５側延長線Ｕよりも下方となる方向に屈曲される。
【００３１】
上背部ボトム１１Ａの屈曲による傾斜角度θは、限定するものではないが、例えば、前記延長線Ｕに対して５〜１０°が好ましい。この範囲の傾斜角度であれば、傾斜角度が適当であって、人の背中ｂの肩甲骨や鎖骨近傍などの上部背面部分ｂ１が極端に後方へ反ることがなく、利用者が上背部ボトム１１Ａが屈曲されたことによる違和感を感じることも少ない。
【００３２】
なお、図２（ｂ）および図４（ａ）に示すように、背部ボトム１１が水平にある状態では、押し上げアーム２５の押し上げローラ２６は背部ボトム１１に当接しているが、押し上げアーム２５からの力を受けていない。そして、メインフレーム２におけるヘッドボード５寄りの箇所に掛け渡された第１規制用ロッド４０に取り付けた第１ストッパー体４１に、上背部ボトム１１Ａにおける人がボトム４に横たわった場合に人の頭部寄り部分を保持する側の箇所が当接し、これにより、背部ボトム１１を水平姿勢に保持するように構成されている。
【００３３】
また、背上げシャフト２３を介して押し上げアーム２５と一体的に回転するように連結されている駆動力伝達アーム２４は、背上げ駆動ユニット５０により駆動される。
【００３４】
図６に示すように、この背上げ駆動ユニット５０は、ベッド１の中央部下方の所定位置に配設され、枠体をなすケース部５１と、ケース部５１の中央部下方に取り付けられた駆動源としての背上げ用電動モータ５２と、ケース部５１内に突入された背上げ用電動モータ５２の回転軸に取り付けられたウォーム歯車５３と、略水平姿勢に沿う姿勢で図示しない軸受により所定位置で回転自在に保持されたねじ軸５４と、ねじ軸５４の一端部に取り付けられてウォーム歯車５３に噛合する伝達歯車５５と、横方向にスライド自在に支持され、ねじ軸５４に螺合されるとともに、その端部が駆動力伝達アーム２４に当接するスライド体５６とを備えている。
【００３５】
そして、背上げ用電動モータ５２を駆動させてウォーム歯車５３を回転させると、ウォーム歯車５３に噛み合う伝達歯車５５とともにねじ軸５４が回転することでスライド体５６が横方向（Ｚ１方向）に移動し、これに伴なって、スライド体５６に当接する駆動力伝達アーム２４がＺ２方向に回転するとともに、この駆動力伝達アーム２４に固着されている背上げシャフト２３がＺ３方向に回転し、この背上げシャフト２３に固着されている押し上げアーム２５がＰ１方向（図４（ａ）参照）に回転する。
【００３６】
なお、ケース部５１には脚上げ駆動ユニット７０も配設され、背上げ駆動ユニット５０の構成と同様の、脚上げ用電動モータ７２と、ウォーム歯車７３と、ねじ軸７４と、伝達歯車７５と、スライド体７６とを備え、脚上げ用電動モータ７２を駆動させることで、スライド体７６が横方向に移動するようになっている。
【００３７】
図７（ａ）、（ｂ）に示すように、脚部ボトム１３の内枠部１３ａには、腰部ボトム１２寄りの端部から頭部略水平方向（Ｈ方向）に延びる脚部ボトム第１取付板４２と、脚部ボトム１３に隣接されているサブ脚部ボトム１４寄りの端部から脚側略水平方向（Ｆ方向）に延びる脚部ボトム第２取付板４３とが固着され、脚部ボトム第１取付板４２のＨ方向側端部は、メインフレーム２に回転自在に取り付けられた回転支持軸４４によりメインフレーム２に取り付けられ、この回転支持軸４４を中心として脚部ボトム１３が回転自在に支持されている。
【００３８】
また、脚部ボトム第２取付板４３のＦ方向側端部には、脚部ボトム１３とサブ脚部ボトム１４とを連結する連結軸４５が連結され、この連結軸４５には、サブ脚部ボトム１４の内枠部１４ａにおける脚部ボトム１３寄りの端部から頭側略水平方向（Ｈ方向）に延びる第３取付板４６が連結されている。
【００３９】
さらに、メインフレーム２におけるフットボード６寄りの箇所に第２規制用ドッド４７が掛け渡されているとともに、この規制用ロッド４７に固着されたロッド用ブラケット４７ａと、サブ脚部ボトム１４の足先側端辺部に固着された足先ブラケット１４ｃとの間には、支持軸４８ａ、４８ｂを介して連結リンク４９が取り付けられている。
【００４０】
脚上げ機構６０は、図７（ａ）、（ｂ）に示すように、メインフレーム２における脚部ボトム１３に臨む両側部内側にそれぞれ固着された一対の軸取付板６１と、これら軸取付板６１間に掛け渡された脚上げシャフト６２と、脚上げシャフト６２に固着されて、脚上げ駆動ユニット７０により駆動されることにより脚上げシャフト６２を軸として脚上げシャフト６２とともに回転する駆動力伝達アーム６５と、この脚上げシャフト６２の片側にその一端が固着され、脚上げシャフト６２の回転に伴なって他端に取り付けられた脚上げローラ６３が脚部ボトム１３の内枠部１３ａに下方から当接して脚部ボトム１３を押し上げ可能とされた脚上げアーム６４とを有する。
【００４１】
また、脚上げアーム６４を押し上げる駆動力伝達アーム６５は、脚上げ駆動ユニット７０のスライド体７６に当接され、脚上げ駆動ユニット７０の脚上げ用電動モータ７２を駆動することで、脚上げアーム６４がｋ方向（図７（ｂ）参照）に押し上げられる。
【００４２】
また、メインフレーム２には、脚部ボトム１３やサブ脚部ボトム１４が水平姿勢となった際にサブ脚部ボトム１４の内枠部１４ａにおける連結軸４５近傍の箇所下面に当接するストッパ部４０ａが固着されており、これにより、脚部ボトム１３やサブ脚部ボトム１４が水平姿勢となっている際には、サブ脚部ボトム１４における脚側略水平方向（Ｆ方向）の端部箇所が、第２規制ロッド４７に取り付けられた第３ストッパ体４７ｂに当接して、脚部ボトム１３およびサブ脚部ボトム１４が水平姿勢を維持できるように構成されている。
【００４３】
この構成において、この水平姿勢から背上げ動作を行うべく、ベッド１の利用者などが操作部８を操作して、背上げ動作を指示すると、背上げ駆動ユニット５０の背上げモータ５２が駆動されて、背上げ機構２０において駆動力伝達アーム２４や背上げシャフト２３を介して押し上げアーム２５が、図４（ａ）に示すＰ１方向に回転され、これにより、下背部ボトム１１Ｂの押し上げローラ２６に当接している箇所がＰ１方向に押し上げられ、下背部ボトム１１Ｂとともに、上背部ボトム１１Ａが背上げ姿勢に傾斜する。
【００４４】
押し上げアーム２５による下背部ボトム１１Ｂの回転に伴なって、逆反り機構３０における第１のリンク３１がＰ２方向に回転するとともに第２のリンク３２が下背部ボトム１１Ｂ側に近づくように移動し、それに伴って、第３のリンク３３がＱ１方向に移動して、下背部ボトム１１Ｂ側に引寄せられる。これにより、上背部ボトム１１Ａが連結軸１５を中心にＰ３方向に回転して、図４（ｂ）に示すように、上背部ボトム１１Ａの水平線に対する傾斜角度θ１が、下背部ボトム１１Ｂの水平線に対する傾斜角度θ２よりも小さくなるように屈曲されて逆反り状態になる。
【００４５】
この構成によれば、上背部ボトム１１Ａが屈曲されて、逆反り状態になるので、図３（ｂ）に示すように、肩甲骨や鎖骨近傍などの人の背中ｂの上部背面部分ｂ１が上背部ボトム１１Ａから離れたり、あるいは上部背面部分ｂ１の上背部ボトム１１Ａへの当接圧力が軽減されたりする。これにより、比較的、上部背面部分ｂ１を含めた背中ｂが上下方向に対して自由に移動できるようになり、腹部ａや腰部ｄの圧迫を最小限に抑えることができる。また、上背部ボトム１１Ａが屈曲されて、逆反り状態になることにより、人の背中ｄの上部背面部分ｂ１が後方に反ったような姿勢となり、腹部ａが前方に伸ばされることになる。
【００４６】
したがって、人の腹部ａの圧迫を良好に軽減させることができるとともに、腰部ｄの圧迫も軽減させることができる。
また、背上げ動作を行った際に、脚上げ動作を同時に行ってもよく、例えば、操作部８を操作して、脚上げ動作を指示すると、脚上げ駆動ユニット７０の脚上げモータ７２が駆動されて、脚上げ機構６０において駆動力伝達アーム６５や脚上げシャフト６２を介して脚上げアーム６４が図７（ｂ）に示すｋ方向に回転され、これにより、脚部ボトム１３の脚上げローラ６３に当接している箇所がｋ方向に押し上げられる。そして、回転支持軸４４により回転自在に支持されている脚部ボトム１３は、この回転支持軸４４を中心として、脚部ボトム１３におけるサブ脚部ボトム１４寄り側の部分が斜め上方（ｋ方向）に押し上げられ、また、連結軸４５を介して連結されているサブ脚部ボトム１４も、脚部ボトム１３寄り側の部分が連結軸４５に沿って斜め上方（ｍ方向）に押し上げられる。この結果、脚部ボトム１３およびサブ脚部ボトム１４は、連結軸４５の箇所を頂点とするように上方に向けて「く」の字状に屈曲する。
【００４７】
ところで、背上げ時に上背部ボトム１１Ａを屈曲させることなく、脚上げ動作を行った場合には、人の大腿部ｃを屈曲させたことにより、大腿部ｃと腹部ａとの間の間隔が狭くなって、特に腹部ａが圧迫されるが、前記のように、背上げ動作時に上背部ボトム１１Ａを屈曲させることにより、大腿部ｃを屈曲させたことによる腹部ａの圧迫も軽減させることができる。
【００４８】
また、背上げ時に上背部ボトム１１Ａは、人の重心がかかる腰部ｄ近傍から離れた位置である連結軸１５の箇所で屈曲するため、人の上半身の動きが下背部ボトム１１Ｂによって拘束され難くなり、上半身が自然な姿勢をとり易くなり、これによっても、腹部ａの圧迫が軽減される。
【００４９】
次に、図８、図９は本発明の第２の実施の形態にかかるもので、図８の（ａ）、（ｂ）はそれぞれ本発明の第２の実施の形態にかかるベッドの背部ボトムを示す側面図で、（ａ）は背部ボトムが水平姿勢である状態を示し、（ｂ）は背部ボトムが背上げ姿勢である状態を示す。また、図９は同ベッドの背部ボトムを上方から見た平面図（背部ボトムが水平姿勢である状態を示す）である。
【００５０】
この実施の形態においては、逆反り機構３０を構成する３つのリンクが背部ボトム１１の両側部とメインフレーム２との間にそれぞれ配置され、第１のリンク３１がメインフレーム２に連結されているものである。
【００５１】
図８、図９に示すように、各第１のリンク３１は、一端が、腰部ボトム１２側においてメインフレーム２の両側部下端にそれぞれ固着されたヒンジ取付板９６に取り付けられた支持軸９７により回転自在に支持されている。また、各第２のリンク３２は、一端が、第２支持軸３５に支持され、この第２支持軸３５は下背部ボトム１１Ｂの内枠部１１ｂに回転自在に支持されている。そして、各第１のリンク３１と各第２のリンク３２とは、これらの他端が第１支持軸３４により回転自在に連結されている。
【００５２】
さらに、各第３のリンク３３は、一端が、第４支持軸３８により支持され、この第４支持軸３８は上背部ボトム１１Ａの内枠部１１ａに固着されたヒンジ取付板３７に回転自在に支持されている。また、第３のリンク３３の他端が、第３支持軸３６により支持され、この第３支持軸３６は第２のリンク３２の第２支持軸３５による支持部分より少し腰部ボトム１２寄りの箇所において、第２のリンク３２に回転自在に連結されている。
【００５３】
この実施の形態においては、押し上げアーム２５および下背部ボトム１１Ｂの回転に伴う第１のリンク３１の支持軸９７を中心とするＰ２方向への回転と、第２のリンク３２の下背部ボトム１１Ｂ側に近づくような回転により、上背部ボトム１１Ａが第３のリンク３３により背部ボトム１１Ｂ側に引寄せられ、図８（ｂ）に示すように、上背部ボトム１１Ａの水平線に対する傾斜角度θ３が、下背部ボトム１１Ｂの水平線に対する傾斜角度θ４よりも小さくなるように屈曲されて逆反り状態になる。
【００５４】
この実施の形態によっても、背上げ時に上背部ボトム１１Ａが逆反り状態に屈曲されるので、前記第１の実施の形態と同様に、背上げ時における人の腹部ａの圧迫を良好に軽減することができるとともに、腰部ｄの圧迫も軽減させることができる。
【００５５】
次に、図１０、図１１は本発明の第３の実施の形態にかかるもので、図１０の（ａ）、（ｂ）はそれぞれ本発明の第３の実施の形態にかかるベッドの背部ボトムを示す側面図で、（ａ）は背部ボトムが水平姿勢である状態を示し、（ｂ）は背部ボトムが背上げ姿勢である状態を示す。また、図１１は同ベッドの背部ボトムを上方から見た平面図（背部ボトムが水平姿勢である状態を示す）である。
【００５６】
このベッド１においては、逆反り機構３０を構成する第１のリンク３１が押し上げアーム２５に連結されているものである。
図１０、図１１に示すように、第１のリンク３１の一端は、押し上げアーム２５の長さ方向の中央部で支持軸３９により回転自在に支持されおり、第１のリンク３１の長さは、第１の実施の形態よりも短く形成されており、第１の実施の形態と比べると、上背部ボトム１１Ａの屈曲による傾斜角度が小さくなるように構成されている。
【００５７】
この実施の形態においては、押し上げアーム２５および下背部ボトム１１Ｂの回転に伴う第１のリンク３１の支持軸３９を中心とするＰ２方向への回転と、第２のリンク３２の下背部ボトム１１Ｂ側に近づくような回転により、上背部ボトム１１Ａが第３のリンク３３により背部ボトム１１Ｂ側に引寄せられ、図１０（ｂ）に示すように、上背部ボトム１１Ａの水平線に対する傾斜角度θ５が、下背部ボトム１１Ｂの水平線に対する傾斜角度θ６よりも小さくなるように屈曲されて逆反り状態になる。
【００５８】
この実施の形態によっても、背上げ時に上背部ボトム１１Ａが逆反り状態に屈曲されるので、前記第１の実施の形態と同様に、背上げ時における人の腹部ａの圧迫を良好に軽減することができるとともに、腰部ｄの圧迫も軽減させることができる。
【００５９】
また、第１のリンク３１の押し上げアーム２５に対する連結位置を変えることにより、上背部ボトム１１Ａの屈曲による傾斜角度を変えることができる。つまり、連結箇所を背上げシャフト２３寄りに位置させることにより、上背部ボトム１１Ａの屈曲による傾斜角度を大きくすることができ、連結箇所を押し上げローラ２６寄りに位置させることにより、上背部ボトム１１Ａの屈曲による傾斜角度を小さくすることができ、このように連結位置を調整することで、最適な傾斜角度に設定することが可能になる。
【００６０】
次に、図１２、図１３は本発明の第４の実施の形態にかかるもので、図１２の（ａ）、（ｂ）はそれぞれ本発明の第４の実施の形態にかかるベッドの背部ボトムおよびその近傍箇所を示す側面図で、（ａ）は背部ボトムが水平姿勢である状態を示し、（ｂ）は背部ボトムが背上げ姿勢である状態を示す。また、図１３は同ベッドの背部ボトムを上方から見た平面図（背部ボトムが水平姿勢である状態を示す）である。
【００６１】
このベッド１においては、背上げ機構２０と逆反り機構３０とを前記第１の実施の形態とは異なる機構から形成するとともに、背上げ動作に連動させて、下背部ボトム１１Ｂの下端部１１ｆが、頭側略水平方向（Ｈ方向）に移動するように構成されている。
【００６２】
図１２、図１３に示すように、背上げ機構２０を構成する一対の押し上げアーム２５は、下背部ボトム１１Ｂの内枠部１１ｂの少し内側に配置され、押し上げローラ２６は、押し上げアーム２５から内枠部１１ｂの下面側に突出するように押し上げアーム２５に取り付けられており、内枠部１１ｂの下面に設けられたガイドレール８１に沿ってスライドするようになっている。
【００６３】
逆反り機構３０は、一対の傾斜レール８２と、一対の連結ロッド８３と、一対のガイドローラ８４と、一対の傾倒用ローラ８５とを有する。
各傾斜レール８２は、上背部ボトム１１Ａの下面に下向きに取り付けられ、下背部ボトム１１Ｂ側に下り傾斜している。また、各連結ロッド８３は、その一端が押し上げアーム２５に連結されるとともに、他端には、傾倒用ローラ８５が回転自在に取り付けられている。また、連結ロッド８３の押し上げローラ２６寄り箇所にはガイドローラ８４が回転自在に設けられている。
【００６４】
そして、押し上げローラ２６およびガイドローラ８４は、それぞれ下背部ボトム１１Ｂの下面に当接してスライドするようにガイドレール８１上に載置され、また、傾倒用ローラ８５は、傾斜レール８２の下面に当接してスライドするようになっている。
【００６５】
したがって、押し上げアーム２５を、図１２（ａ）に示す状態からＰ１方向に回転させると、押し上げアーム２５は、回転しつつガイドレール８１上をＲ１方向にスライドし、押し上げアーム２５により、下背部ボトム１１Ｂが上背部ボトム１１Ａとともに押し上げられ、図１２（ｂ）に示す背上げ姿勢に移動する。
【００６６】
押し上げアーム２５がガイドレール８１上をＲ１方向にスライドにつれて、連結ロッド８３を介して傾倒用ローラ８５が傾斜レール８２上をＲ２方向にスライドする。その結果、図１２（ｂ）に示すように、上背部ボトム１１Ａが、下背部ボトム１１Ｂよりも水平線に対する傾斜角度が小さくなるように屈曲されて逆反り状態になる。
【００６７】
さらに、背上げ動作に連動させて、下背部ボトム１１Ｂの下端部１１ｆを、頭側略水平方向（Ｈ方向）に移動させるべく、一対の第１の背部ボトム支持アーム２７と一対の第２の背部ボトム支持アーム２８とを有する。
【００６８】
各第１の背部ボトム支持アーム２７と、第２の背部ボトム支持アーム２８とは、ヒンジ取付板２２に取り付けられている。
つまり、第１、第２の背部ボトム支持アーム２７、２８は、下端部が、ヒンジ取付板２２に取り付けられた下回転用支持軸２７ａまたは２８ａを介してヒンジ取付板２２に回転自在に支持され、また、下端部が、背上げ姿勢において下背部ボトム１１Ｂの下端部１１ｆとなる部分に取り付けられた上回転用支持軸２７ｂまたは２８ｂを介して下端部１１ｆに回転自在に枢支されており、上回転用支持軸２７ｂは下回転用支持軸２７ａを中心にしてＳ１方向へ移動し、上回転用支持軸２８ｂは下回転用支持軸２８ａを中心にしてＳ２方向へ移動することにより、背部ボトム１１を水平姿勢から背上げ姿勢に移動可能に支持している。
【００６９】
そして、背部ボトム１１が水平姿勢をとる場合は、背上げ姿勢において下背部ボトム１１Ｂの下端部１１ｆとなる部分を支持する第１の背部ボトム支持アーム２７と、下背部ボトム１１Ｂの下端部１１ｆとなる部分よりも少し頭部側寄りの部分を支持する第２の背部ボトム支持アーム２８とは、以下のような位置関係とされている。第１の背部ボトム支持アーム２７と第２の背部ボトム支持アーム２８とは、殆ど同じ長さとされているが、第１の背部ボトム支持アーム２７よりも第２の背部ボトム支持アーム２８の方が寝た姿勢（水平線に対する傾斜角度が小さい姿勢）とされている。また、第１の背部ボトム支持アーム２７の下回転用支持軸２７ａよりも、第２の背部ボトム支持アーム２８の下回転用支持軸２８ａが少し高い位置に配置されている。
【００７０】
したがって、第１の背部ボトム支持アーム２７を図１２（ａ）の状態からＳ１方向に回転させると、下背部ボトム１１Ｂの下端部１１ｆを支持する下回転用支持軸２７ａの上方位置に、その上端部を支持する上回転用支持軸２７ｂが達するまでは、この上回転用支持軸２７ｂは少しずつ上昇し、上回転用支持軸２７ｂが下回転用支持軸２７ａの上方位置に達した後は、下降しながら回転することになる。
【００７１】
一方、第２の背部ボトム支持アーム２８は、図１２（ａ）に示す状態では、第１の背部ボトム支持アーム２７よりも寝た姿勢であるので、Ｓ２方向に回転させ始めた際に、比較的大きめに上方に移動しながら回転する。したがって、第１および第２の背部ボトム支持アーム２７、２８を図１２（ａ）に示す状態からＳ１方向およびＳ２方向に回転させると、第１の背部ボトム支持アーム２７の上回転用支持軸２７ｂは上下方向の移動距離よりも頭側略水平方向（Ｈ方向）に大きく移動するように回転し、また、第２の背部ボトム支持アーム２８の上回転用支持軸２８ｂは頭側略水平方向（Ｈ方向）の移動距離よりも大きく上昇するように回転する。
【００７２】
この結果、背上げ動作に伴なって、これらの第１および第２の背部ボトム支持アーム２７、２８がＳ１方向およびＳ２方向に回転し、図１２（ｂ）に示すような背上げ姿勢に傾斜しながら、下背部ボトム１１Ｂの下端部１１ｆが頭側略水平方向（Ｈ方向）に移動することとなる。
【００７３】
この構成において、背上げ動作を行うべく、押し上げアーム２５を、図１２（ａ）に示す状態からＰ１方向に回転させると、押し上げアーム２５は、回転しつつスライドレール８１上をＲ１方向にスライドし、押し上げアーム２５により、下背部ボトム１１Ｂが上背部ボトム１１Ａとともに押し上げられ、図１２（ｂ）に示す背上げ姿勢に傾斜し、それに伴って、連結ロッド８３を介して傾倒用ローラ８５が傾斜レール８２上をＲ２方向にスライドし、上背部ボトム１１Ａの水平線に対する傾斜角度θ７が、下背部ボトム１１Ｂの水平線に対する傾斜角度θ８よりも小さくなるように屈曲されて逆反り状態になる。
【００７４】
さらに、背上げ動作に伴なって、第１および第２の背部ボトム支持アーム２７、２８がそれぞれＳ１、Ｓ２方向に回転することにより、下背部ボトム１１Ｂの下端部１１ｆが頭側略水平方向（Ｈ方向）に移動される。
【００７５】
この構成によっても、背上げ時には上背部ボトム１１Ａが逆反り状態に屈曲されるので、前記各実施の形態と同様に、背上げ時における人の腹部ａの圧迫を良好に軽減することができるとともに、腰部ｄの圧迫も軽減させることができる。
【００７６】
また、下背部ボトム１１Ｂの下端部１１ｆが頭側略水平方向（Ｈ方向）に移動されることにより、背上げ時に人の背中ｂと大腿部ｃとの間の距離が広がるので、人の腹部ａの圧迫をより良好に軽減させることができる。
【００７７】
さらに、傾斜レール８３の傾斜角度と長さを変えることにより、上背部ボトム１１Ａの屈曲による傾斜角度を所望の種々の角度に変更することができる。
次に、図１４は本発明の第５の実施の形態にかかるもので、図１４の（ａ）、（ｂ）はそれぞれ本発明の第５の実施の形態にかかるベッドの背部ボトムおよび腰部ボトムを示す側面図で、（ａ）は背部ボトムが水平姿勢である状態を示し、（ｂ）は背部ボトムが背上げ姿勢である状態を示す。
【００７８】
このベッド１においては、前記第４の実施の形態と同様の背上げ機構２０および逆反り機構３０とを備え、さらに、腰部ボトム１２が連動機構９０により、背上げ動作に連動されて移動されるように構成されている。
【００７９】
図１４に示すように、腰部ボトム１２の脚側寄り箇所にローラ支持軸９１が設けられ、このローラ支持軸９１には、メインフレーム２の下面に設けられたスライドレール２ｃ上を摺動するガイドローラ９２が取り付けられている。そして、押し上げアーム２５が固着されている背上げシャフト２３には、水平姿勢から背上げ姿勢をとる際にＰ１方向に回転する押し上げアーム２５とは略反対方向に延びる回転アーム９３が固着されており、この回転アーム９３の端部に取り付けられた連動支持軸９４に、その一端が腰部ボトム１２の頭側寄り箇所に固着された連動スライドアーム９５の他端が回転自在に支持されている。
【００８０】
この構成においても、前記第４の実施の形態と同様に、上背部ボトム１１Ａの水平線に対する傾斜角度が、下背部ボトム１１Ｂの水平線に対する傾斜角度よりも小さくなるように屈曲されて逆反り状態になる。さらに、背上げ動作に伴なって、図１４（ａ）、（ｂ）に示すように、回転アーム９３がＴ１方向に回転し、これに伴なって、連動スライドアーム９５に連結された腰部ボトム１２が頭側略水平方向（Ｈ方向）に引かれるとともに、腰部ボトム１２の頭部寄り部分が若干下に傾斜しながら移動する。
【００８１】
この構成によっても、背上げ時には上背部ボトム１１Ａが逆反り状態に屈曲されるので、前記各実施の形態と同様に、腹部ａの圧迫を良好に軽減させることができるとともに、腰部ｂの圧迫を軽減させることができる。
【００８２】
また、腰部ボトム１２を背部ボトム１１側に移動させることにより、人の背中ｂから腰部ｄにかけての箇所がベッド１にフィットした状態を極めて良好に維持しながら、背上げ動作を極めて良好に行うことができる。
【００８３】
なお、前記実施の形態１〜５における構成を適宜組み合わせてもよい。例えば、実施の形態４、５において下背部ボトム１１Ｂの下端部１１ｆを支持する上回転用支持軸２７ｂ、２８ｂに代えて、下背部ボトム１１Ｂの下端部１１ｆを実施の形態１における背上げ回転支持軸２１により支持するようにしてもよい。
【００８４】
また、前記実施の形態においては、電動モータ５２、７２を利用して、背上げ動作、逆反り動作などを行うようにしたが、人力でこれらの動作を行うようにしてもよい。
【００８５】
また、前記実施の形態においては、脚上げ動作もできるベッド１の場合を述べたが、これに限るものではなく、背上げ動作のみしかできないベッドにも適用可能であることは勿論である。
【００８６】
また、前記実施の形態においては、メインフレーム２を昇降せずに所定の高さに保持されている場合を述べたが、これに限るものではなく、背上げや脚上げの機構およびメインフレーム２、ボトム４を含む箇所全体が昇降可能なものに適用できることはいうまでもない。
【００８７】
本発明のベッドにおいては、利用者のレベルで、例えばマットレスと敷布との間に、毛布などの布地を挟み、上背部ボトム１１Ａの屈曲による傾斜角度を微調整するようにしてもよい。
【００８８】
【発明の効果】
以上述べたように、本発明によれば、背上げ時に、第２の機構によって、上背部ボトムの水平線に対する傾斜角度が下背部ボトムよりも小さくなるように背部ボトムが屈曲されて、上背部ボトムが逆反り状態になることで、腹部や腰部の圧迫を最小限に抑えることができる。また、第２の機構によって、上背部ボトムの水平線に対する傾斜角度が下背部ボトムよりも小さくなるように背部ボトムが屈曲されて、上背部ボトムが逆反り状態になることで、人の背中の上部背面部分が後方に反ったような姿勢となり、腹部が前方に伸ばされることになる。
【００８９】
したがって、人の腹部の圧迫を良好に軽減させることができるとともに、腰部の圧迫も軽減させることができる。
また、第２の機構が、一端が背上げシャフト、押し上げアームまたはメインフレームに回転自在に連結された第１のリンクと、一端が下背部ボトムまたは部材を介して下背部ボトムに回転自在に連結され、他端が第１のリンクに回転自在に連結された第２のリンクと、一端が上背部ボトムまたは部材を介して上背部ボトムに回転自在に連結され、他端が第２のリンクに連結された第３のリンクとを有することで、比較的簡単な構成で、上背部ボトムの水平線に対する傾斜角度が下背部ボトムよりも小さくなるように背部ボトムを屈曲させることができる。
【００９０】
また、第２の機構が、連結ロッドを介して押し上げアームに連結されたガイドローラと、上背部ボトムの下面に設けられ、前記ガイドローラがスライド自在に当接する傾斜レールとを有することで、比較的簡単な構成で、上背部ボトムの水平線に対する傾斜角度が下背部ボトムよりも小さくなるように背部ボトムを屈曲させることができる。
【図面の簡単な説明】
【図１】本発明の第１の実施の形態にかかるベッドの全体斜視図である。
【図２】（ａ）は同ベッドを上方から見た全体平面図、（ｂ）は同ベッドの左側面図である。
【図３】（ａ）、（ｂ）はそれぞれ同ベッドを用いた状態を概略的に示す側面図で、（ａ）は背部ボトムが水平姿勢である状態を示し、（ｂ）は背上げ姿勢である状態を示し、実際にはベッドと人との間にマットレスが敷かれているが、これらの図においては、ベッドと人との関係を分かりやすく示すために、マットレスを省いて示している。
【図４】（ａ）、（ｂ）はそれぞれ同ベッドの背部ボトムを示す側面図で、（ａ）は背部ボトムが水平姿勢である状態を示し、（ｂ）は背部ボトムが背上げ姿勢である状態を示す。
【図５】同ベッドの背部ボトムを上方から見た平面図（背部ボトムが水平姿勢である状態を示す）である。
【図６】同ベッドの駆動ユニットを示す斜視図である。
【図７】（ａ）、（ｂ）はそれぞれ同ベッドの脚部ボトム、サブ脚部ボトムを示す側面図で、（ａ）は脚部ボトム、サブ脚部ボトムが水平姿勢である状態を示し、（ｂ）は脚部ボトム、サブ脚部ボトムが脚上げ姿勢である状態を示す。
【図８】（ａ）、（ｂ）はそれぞれ本発明の第２の実施の形態にかかるベッドの背部ボトムを示す側面図で、（ａ）は背部ボトムが水平姿勢である状態を示し、（ｂ）は背部ボトムが背上げ姿勢である状態を示す。
【図９】同ベッドの背部ボトムを上方から見た平面図（背部ボトムが水平姿勢である状態を示す）である。
【図１０】（ａ）、（ｂ）はそれぞれ本発明の第３の実施の形態にかかるベッドの背部ボトムを示す側面図で、（ａ）は背部ボトムが水平姿勢である状態を示し、（ｂ）は背部ボトムが背上げ姿勢である状態を示す。
【図１１】同ベッドの背部ボトムを上方から見た平面図（背部ボトムが水平姿勢である状態を示す）である。
【図１２】（ａ）、（ｂ）はそれぞれ本発明の第４の実施の形態にかかるベッドの背部ボトムおよびその近傍箇所を示す側面図で、（ａ）は背部ボトムが水平姿勢である状態を示し、（ｂ）は背部ボトムが背上げ姿勢である状態を示す。
【図１３】同ベッドの背部ボトムを上方から見た平面図（背部ボトムが水平姿勢である状態を示す）である。
【図１４】（ａ）、（ｂ）はそれぞれ本発明の第５の実施の形態にかかるベッドの背部ボトムおよび腰部ボトムを示す側面図で、（ａ）は背部ボトムが水平姿勢である状態を示し、（ｂ）は背部ボトムが背上げ姿勢である状態を示す。
【図１５】（ａ）、（ｂ）はそれぞれ従来のベッドを示す側面図で、（ａ）は背部ボトムが水平姿勢である状態を示し、（ｂ）は背部ボトムが背上げ姿勢である状態を示す。
【図１６】（ａ）、（ｂ）はそれぞれ従来の他のベッドを示す側面図で、（ａ）は背部ボトムが水平姿勢である状態を示し、（ｂ）は背部ボトムが背上げ姿勢である状態を示す。
【図１７】図１５に示す従来のベッドの作用説明図である。
【図１８】図１６に示す従来のベッドの作用説明図である。
【符号の説明】
１    ベッド
２    メインフレーム
４    ボトム
５    ヘッドボード
６    フットボード
１１  背部ボトム
１１Ａ  上背部ボトム
１１Ｂ  下背部ボトム
１２  腰部ボトム
１３  脚部ボトム
１４  サブ脚部ボトム
１５  連結軸
２０  背上げ機構
２１  背上げ回転支持軸
２３  背上げシャフト
２４  駆動力伝達アーム
２５  押し上げアーム
２７  第１の背部ボトム支持アーム
２８  第２の背部ボトム支持アーム
３０  逆反り機構
３１  第１のリンク
３２  第２のリンク
３３  第３のリンク
５０  背上げ駆動ユニット
６０  脚上げ機構
７０  脚上げ駆動ユニット
８１  スライドレール
８２  傾斜レール
８３  連結ロッド
８４  ガイドローラ
８５  傾倒用ローラ
９０  連動機構
９１  ローラ支持軸
９２  ガイドローラ
９３  回転アーム
９４  連動支持軸
９５  連動スライドアーム
ａ  腹部
ｂ  背中
ｂ１  背中の上部背面部分
ｃ  大腿部
ｄ  腰部
【図１】
2004181109.tif 000003
【図２】
2004181109.tif 000004
【図３】
2004181109.tif 000005
【図４】
2004181109.tif 000006
【図５】
2004181109.tif 000007
【図６】
2004181109.tif 000008
【図７】
2004181109.tif 000009
【図８】
2004181109.tif 000010
【図９】
2004181109.tif 000011
【図１０】
2004181109.tif 000012
【図１１】
2004181109.tif 000013
【図１２】
2004181109.tif 000014
【図１３】
2004181109.tif 000015
【図１４】
2004181109.tif 000016
【図１５】
2004181109.tif 000017
【図１６】
2004181109.tif 000018
【図１７】
2004181109.tif 000019
【図１８】
2004181109.tif 000020